(57)【特許請求の範囲】
【請求項１】
ユーザの操作に対応する操作音を出力する操作音出力手段と、
音または光の少なくとも一方の出力を制限するマナーモードを選択するユーザの音声入力操作を入力する入力手段と、
手ブレに起因する画像劣化を補正する手ブレ補正手段と、
前記マナーモードを選択する音声入力操作が入力された場合、音または光の少なくとも一方の出力を制限するとともに前記手ブレ補正手段を有効とする制御手段と
を含み、
前記制御手段は、前記操作音出力手段を制御して、前記マナーモードを選択するユーザの音声入力操作に対しては操作音の出力を停止させる
撮像装置。
【請求項２】
前記制御手段は、さらに、前記マナーモードを選択する音声入力操作が入力された場合、露光感度が向上される高感度モードを有効とする
請求項１に記載の撮像装置。
【請求項３】
前記制御手段は、前記撮像装置の電源がオフの状態において前記入力手段によって前記マナーモードを選択する音声入力操作が入力された場合、前記操作音出力手段を制御して起動音を出力することなく前記撮像装置の電源をオンとして、音または光の少なくとも一方の出力を制限するとともに、前記手ブレ補正手段を有効とする
請求項１に記載の撮像装置。
【請求項４】
前記撮像装置の所在を示す位置情報を取得する取得手段をさらに含み、
前記制御手段は、取得された前記位置情報にも対応して、音または光の少なくとも一方の出力を制限するとともに前記手ブレ補正手段を有効とする
請求項１に記載の撮像装置。
【請求項５】
ユーザの操作に対応する操作音を出力する操作音出力手段と、
手ブレに起因する画像劣化を補正する手ブレ補正手段と
を備える撮像装置の撮像方法において、
音または光の少なくとも一方の出力を制限するマナーモードを選択するユーザの音声入力操作を入力する入力ステップと、
前記マナーモードを選択する音声入力操作が入力された場合、音または光の少なくとも一方の出力を制限するとともに前記手ブレ補正手段を有効とする制御ステップと
を含み、
前記制御ステップは、前記操作音出力手段を制御して、前記マナーモードを選択するユーザの音声入力操作に対しては操作音の出力を停止させる
撮像方法。
【請求項６】
ユーザの操作に対応する操作音を出力する操作音出力手段と、
手ブレに起因する画像劣化を補正する手ブレ補正手段と
を備える撮像装置を制御するプログラムであって、
音または光の少なくとも一方の出力を制限するマナーモードを選択するユーザの音声入力操作を入力する入力ステップと、
前記マナーモードを選択する音声入力操作が入力された場合、音または光の少なくとも一方の出力を制限するとともに前記手ブレ補正手段を有効とする制御ステップと
を含み、
前記制御ステップは、前記操作音出力手段を制御して、前記マナーモードを選択するユーザの音声入力操作に対しては操作音の出力を停止させる
処理を撮像装置のコンピュータに実行させるプログラム。
【発明の詳細な説明】
【技術分野】
【０００１】
本発明は、撮像装置および撮像方法、並びにプログラムに関し、特に、音や光の発生を抑えたマナーモード撮影においても画質の劣化を抑止できるようにした撮像装置および撮像方法、並びにプログラムに関する。
【背景技術】
【０００２】
従来のデジタルスチルカメラやデジタルビデオカメラには、例えば演奏会や学芸会など音や光の発生を控えるべき場所や状況で撮影するときに適したマナーモードと称する撮影モードが設けられているものがある。
【０００３】
このようなデジタルスチルカメラやデジタルビデオカメラ（以下、単にカメラとも称する）がマナーモードに設定された場合、設定以降の操作音は消音され、フラッシュライトの照射が禁止されるようになされている（例えば、特許文献１参照）。
【０００４】
【特許文献１】特開２００５−１８４４８５号公報
【発明の開示】
【発明が解決しようとする課題】
【０００５】
しかしながら、マナーモードを有する従来のカメラには、以下のような問題があった。例えば、フラッシュライトを使用しないことによる露出不足によって被写体が暗く写ってしまったり、フラッシュライトを使用しないことによる露出不足を防ぐためにシャッタ速度が遅くなって手ブレが発生してしまったりする画質の劣化、マナーモードに設定する際に操作音が発生してしまったり、ファインダとして機能するディスプレイの表示が明る過ぎるなど、撮影状況においてマナー違反となってしまうことがあった。
【０００６】
本発明はこのような状況に鑑みてなされたものであり、マナーモードに設定する操作の時点から音と光の発生を極力抑えるとともに、撮影する画像の画質劣化を抑止できるようにするものである。
【課題を解決するための手段】
【０００７】
本発明の一側面である撮像装置は、ユーザの操作に対応する操作音を出力する操作音出力手段と、音または光の少なくとも一方の出力を制限するマナーモードを選択するユーザの音声入力操作を入力する入力手段と、手ブレに起因する画像劣化を補正する手ブレ補正手段と、前記マナーモードを選択する音声入力操作が入力された場合、音または光の少なくとも一方の出力を制限するとともに前記手ブレ補正手段を有効とする制御手段とを含み、前記制御手段は、前記操作音出力手段を制御して、前記マナーモードを選択するユーザの音声入力操作に対しては操作音の出力を停止させる。
【０００８】
前記制御手段は、さらに、前記マナーモードを選択する音声入力操作が入力された場合、露光感度が向上される高感度モードを有効とすることができる。
【０００９】
前記制御手段は、前記撮像装置の電源がオフの状態において前記入力手段によって前記マナーモードを選択する操作が入力された場合、前記操作音出力手段を制御して起動音を出力することなく前記撮像装置の電源をオンとして、音または光の少なくとも一方の出力を制限するとともに、前記手ブレ補正手段を有効とすることができる。
【００１０】
本発明の一側面である撮像装置は、前記撮像装置の所在を示す位置情報を取得する取得手段をさらに含むことができ、前記制御手段は、取得された前記位置情報にも対応して、音または光の少なくとも一方の出力を制限するとともに前記手ブレ補正手段を有効とすることができる。
【００１１】
本発明の一側面である撮像方法は、ユーザの操作に対応する操作音を出力する操作音出力手段と、手ブレに起因する画像劣化を補正する手ブレ補正手段とを備える撮像装置の撮像方法において、音または光の少なくとも一方の出力を制限するマナーモードを選択するユーザの音声入力操作を入力する入力ステップと、前記マナーモードを選択する音声入力操作が入力された場合、音または光の少なくとも一方の出力を制限するとともに前記手ブレ補正手段を有効とする制御ステップとを含み、前記制御ステップは、前記操作音出力手段を制御して、前記マナーモードを選択するユーザの音声入力操作に対しては操作音の出力を停止させる。
【００１２】
本発明の一側面であるプログラムは、ユーザの操作に対応する操作音を出力する操作音出力手段と、手ブレに起因する画像劣化を補正する手ブレ補正手段とを備える撮像装置を制御するプログラムであって、音または光の少なくとも一方の出力を制限するマナーモードを選択するユーザの音声入力操作を入力する入力ステップと、前記マナーモードを選択する音声入力操作が入力された場合、音または光の少なくとも一方の出力を制限するとともに前記手ブレ補正手段を有効とする制御ステップとを含み、前記制御ステップは、前記操作音出力手段を制御して、前記マナーモードを選択するユーザの音声入力操作に対しては操作音の出力を停止させる処理を撮像装置のコンピュータに実行させる。
【００１３】
本発明の一側面においては、マナーモードを選択する音声入力操作が入力された場合、音または光の少なくとも一方の出力が制限されるとともに手ブレ補正手段が有効とされる。また、マナーモードを選択するユーザの音声入力操作に対しては操作音の出力が停止される。
【発明の効果】
【００１４】
本発明の一側面によれば、マナーモードに設定することによって、撮影時の音と光の発生を抑えることができる。また、本発明の一側面においては、マナーモードに設定する操作の時点から音と光の発生を極力抑えるとともに、撮像する画像の画質劣化を抑止することが可能となる。
【発明を実施するための最良の形態】
【００１９】
以下、本発明を適用した具体的な実施の形態について、図面を参照しながら詳細に説明する。
【００２０】
図１は、本発明の一実施の形態であるデジタルスチルカメラの構成例を示している。このデジタルスチルカメラ１は、被写体の光学像に対応する入射光を集束させるレンズ群１１と絞り量を調整するアイリス機構部１２からなる撮影レンズ１０、入射光による露光時間を制限するシャッタ機構部１３、光電変換により入射光から画像データを生成するCCD１４、画像データに対してサンプリング処理やAGC(Auto Gain Control)処理を行うアナログ信号処理部１５、アナログ信号の画像データをデジタル信号の画像データに変換するアナログデジタル変換部(A/D)１６、スルー画像生成処理、AF(Auto Focus)処理、AE(Auto Exposure)処理、記録画像生成処理などを行うデジタル信号処理部１７、デジタル信号処理部１７に内蔵され手ブレが生じた画像データに対して手ブレ補正処理を行う手ブレ補正部１８、ROM２０に記録されているプログラムを実行することによってデジタルスチルカメラ１の各部を制御するメイン制御部１９から構成される。
【００２１】
なお、手ブレ補正部１８の代わりに、あるいはそれに加えて、手ブレを検出するジャイロセンサなどを設け、ジャイロセンサなどによる手ブレの検出結果に対応して光軸を曲げるシフトレンズを設けるようにしてもよい。
【００２２】
メイン制御部１９には、制御用プログラムや各種の設定初期値などが記録されているROM(Read Only Memory)２０、メイン制御部１９のワークエリアとして使用されたり画像データを一時的に記憶するRAM(Random Access Memory)２１、ユーザからの各種操作を受け付ける操作入力部２２、ディスプレイ３４およびEVF(Electric View Finder)３５（いずれも図２）から成り、スルー画像を表示したり撮影済みの画像を表示したりする表示部２３、記録画像生成処理の結果として得られる画像符号化データを記録媒体に記録する記録部２４、パーソナルコンピュータやテレビジョン受像機などの電子装置と接続するための外部インタフェース(I/F)２５、被写体に閃光を照射する発光部２６、CCD１４の動作タイミングを制御するタイミングジェネレータ(TG)２７、撮影レンズ１０を制御するレンズ制御部２８、並びに、デジタルスチルカメラ１の所在を表す位置情報を取得する位置情報取得部２９が接続されている。
【００２３】
撮影レンズ１０は、デジタルスチルカメラ１に対して着脱可能であって、焦点距離が異なるものに換装することができる。
【００２４】
操作入力部２２は、図２に示すような電源ボタン３１、シャッタボタン３２、マナーモードボタン３３などの操作ボタンや、ディスプレイ３４の表面に設けられるタッチパネルなどから構成される。
【００２５】
電源ボタン３１は、デジタルスチルカメラ１の電源をオン・オフするときに押下される。シャッタボタン３２は、AF処理およびAE処理を実行させるときに半押しされ、撮影タイミングに全押しされる。
【００２６】
マナーモードボタン３３は、マナーモードに設定するとき、またマナーモードを解除するときに押下される。なお、マナーモードボタン３３が押下されたことに対応する操作音は出力されないようになされている。また、電源がオフの状態でマナーモードボタン３３が押下された場合、これに対応して電源がオンとされ、かつ、マナーモードに設定されるよう予め設定することが可能である。この場合、電源オンに伴う起動音は出力されないようになされている。なお、マナーモードボタン３３を設ける代わりに、あるいはこれに加えて、所定の音声入力に対応してマナーモードに設定・解除するようにしたり、ディスプレイ３４とそれに重量されるタッチパネルによって同等の操作ボタンを実現するようにしてもよい。なお、マナーモードの詳細については後述する。
【００２７】
ディスプレイ３４には、スルー画像、記録済みの画像データを再生した画像、各種の設定画面などが表示される。EVF３５には、スルー画像が表示される。なお、EVF３５の代わりに光学式のVF(View Finder)を設けてもよい。
【００２８】
図１に戻る。発光部２６は、デジタルスチルカメラ１に対して着脱可能であって、発光量を示すガイドナンバや最大発光パルス幅が異なるものに換装することができる。
【００２９】
位置情報取得部２９は、例えばGPS(Global Positioning System)信号を受信したり、無線LANなどを介して隣接するホットスポットの位置情報を受信し、その信号を位置情報としてメイン制御部１９に出力する。メイン制御部１９は、位置情報取得部２９からの位置情報を、予め登録されているマナーモードに設定すべき場所の位置情報と照らし合わせ、両者が一致した場合、マナーモードに設定するようになされている。また、無線LANなどを介して隣接するホットスポットなどから、デジタルスチルカメラ１がマナーモードに設定されるように制御する制御信号を送信するようにしてもよい。あるいはまた、無線LANなどを介して隣接するホットスポットなどから、デジタルスチルカメラ１が撮影不可能な状態に設定されるように制御する制御信号を送信するようにしてもよい。
【００３０】
次に、デジタルスチルカメラ１によるマナーモード設定処理について、図３のフローチャートを参照して説明する。
【００３１】
ステップＳ１において、メイン制御部１９は、位置情報取得部２９によって取得される位置情報に基づき、マナーモードに設定すべき場所であるか否かを判定する。位置情報取得部２９によって位置情報を取得されなかったり、マナーモードに設定すべき場所ではないと判定された場合、処理はステップＳ２に進められる。反対に、マナーモードに設定すべき場所であると判定された場合、ステップＳ２およびＳ３はスキップされて、処理はステップＳ４に進められる。
【００３２】
ステップＳ２において、メイン制御部１９は、マナーモードボタン３３が押下されたか否かを判定する。マナーモードボタン３３が押下されていないと判定された場合、処理はステップＳ１に戻り、それ以降の処理が繰り返される。反対に、マナーモードボタン３３が押下されたと判定された場合、処理はステップＳ３に進められる。なお、マナーモードボタン３３が押下されても、それに伴う操作音は発生しない。
【００３３】
ステップＳ３において、メイン制御部１９は、現在、マナーモードに設定されているか否かを判定する。現在、マナーモードに設定されていないと判定された場合、マナーモードに設定するため、ステップＳ４乃至Ｓ１０の処理が行われる。
【００３４】
ステップＳ４において、メイン制御部１９は、各種の操作音や記録した動画像に対応する音声の再生音など全ての音声の出力を禁止する。ステップＳ５において、メイン制御部１９は、AF処理時における補助光の照射を禁止する。ステップＳ６において、メイン制御部１９は、発光部２６による閃光の照射を禁止する。ステップＳ７において、メイン制御部１９は、ディスプレイ３４によるスルー画像やその他の設定画面などの表示を禁止し、EVF３５によるスルー画像の表示を有効とする。なお、ディスプレイ３４の表示を完全に禁止するのではなく、ディスプレイ３４のバックライトの輝度を低下させるようにしてもよい。
【００３５】
ステップＳ８において、メイン制御部１９は、CCD１４の感度を高めたり、アナログ信号処理部１５におけるAGC処理の増幅利得を高めたりする高感度モードに設定する。ステップＳ９において、メイン制御部１９は、手ブレ補正部１８による手ブレ補正処理を有効にする。
【００３６】
そして最後に、ステップＳ１０において、メイン制御部１９は、現在、マナーモードに設定されていることをユーザに通知するためのマークを表示させる。具体的には、例えば、デジタルスチルカメラ１の背面などに設けたLED(Light Emitting Diode)を点灯させたり、EVF３５やディスプレイ３４の画面上に所定のアイコンを表示させたりする。この後、処理はステップＳ１に戻り、それ以降の処理が繰り返される。
【００３７】
このようにして設定されたマナーモードは、再びマナーモードボタン３３が押下されるまで継続される。
【００３８】
すなわち、再びマナーモードボタン３３が押下されると、ステップＳ２からステップＳ３に処理が進められ、ステップＳ３において、現在、マナーモードに設定されていると判定されて、処理はステップＳ１１に進められる。ステップＳ１１において、メイン制御部１９は、上述したステップＳ４乃至Ｓ１０の処理結果を、マナーモード設定前の状態に戻す。
【００３９】
具体的には、全ての音声出力の禁止を解除し、AF処理時における補助光の照射の禁止を解除し、発光部２６による閃光の照射の禁止を解除し、ディスプレイ３４の表示の禁止を解除する。また、高感度モードを解除し、手ブレ補正処理を無効にする。ただし、マナーモード設定前に既に高感度モードに設定されていたり、手ブレ補正処理が有効とされていたりする場合には、マナーモード設定前の状態に戻すようにする。そして、マナーモードに設定されていることをユーザに通知するためのマークの表示を消去する。この後、処理はステップＳ１に戻り、それ以降の処理が繰り返される。
【００４０】
以上で、デジタルスチルカメラ１によるマナーモード設定処理の説明を終了する。
【００４１】
以上説明したデジタルスチルカメラ１のマナーモード設定処理によれば、マナーモードに設定された場合、音と光の発生が極力抑えられるので、撮影状況においてマナー違反となることを抑止することができる。またマナーモードに設定された場合、高感度モードに設定されるので、露出不足による画質の劣化を抑止することができ、さらに、手ブレ補正処理が有効とされるので、露出不足を補うためにシャッタ速度が遅くなったとしても、手ブレによる画質の劣化を抑止することができる。
【００４２】
なお、マナーモードの複数のパターンを設けるようにしてもよい。例えば、第１乃至３パターンを設け、第１パターンのマナーモードでは、ステップＳ４乃至Ｓ９の全ての処理を行うようにし、第２パターンのマナーモードでは、明るい場所での撮影に適するように、ステップＳ４乃至Ｓ９のうち、ステップＳ７およびＳ８の処理を省略するようにし、第３パターンのマナーモードでは、ステップＳ４乃至Ｓ９のうち、ユーザが設定した項目だけを実行するようにする。
【００４３】
例えば、音の発生だけを抑えればいいような状況で撮影する場合、第３パターンのマナーモードには、ステップＳ４乃至Ｓ１０のうち、ステップＳ４だけ実行するように設定すればよい。
【００４４】
このように第１乃至３パターンのマナーモードを設けた場合、マナーモードボタン３３が押下されたときに第１乃至第３パターンのいずれに設定するかを予め選択できるようにする。または例えば、マナーモードボタン３３を短く押下したときは第１パターンのマナーモード、マナーモードボタン３３を長く押下したときは第２パターンのマナーモード、マナーモードボタン３３を短く２度押下したときは第３パターンのマナーモードに設定するなど、マナーモードボタン３３の押し方によって設定するマナーモードのパターンを区別するようにする。あるいは、第１乃至３パターンにそれぞれ対応するように、複数のマナーモードボタン３３を設けるようにしてもよい。
【００４５】
なお、本発明は、本実施の形態のようなデジタルスチルカメラに限らず、ビデオカメラやフィルム式のカメラに適用することが可能である。
【００４６】
なお、本明細書において、プログラムに基づいて実行されるステップは、記載された順序に従って時系列的に行われる処理はもちろん、必ずしも時系列的に処理されなくとも、並列的あるいは個別に実行される処理をも含むものである。
【００４７】
なお、本発明の実施の形態は、上述した実施の形態に限定されるものではなく、本発明の要旨を逸脱しない範囲において種々の変更が可能である。
【図面の簡単な説明】
【００４８】
【図１】本発明を適用したデジタルスチルカメラの構成例を示すブロック図である。
【図２】デジタルスチルカメラの背面外観図を示す図である。
【図３】マナーモード設定処理を説明するフローチャートである。
【符号の説明】
【００４９】
１  デジタルスチルカメラ，  １７  デジタル信号処理部，  １８  手ブレ補正部，  １９  メイン制御部，  ２０  ROM，  ２３  表示部，  ２６  発光部，  ２９  位置情報取得部，３３  マナーモードボタン，  ３４  ディスプレイ，  ３５  EVF
【図１】
0004826303.tif 000002
【図２】
0004826303.tif 000003
【図３】
0004826303.tif 000004